(57)【要約】【課題】メス載置具上にメスを容易かつ安全に載置する。【解決手段】メス載置具１の前側壁部３は、底板部２の前端部および前部両側縁から上方に突出する。複数の後仕切部４は、底板部２の後端部にて左右方向に配列される。複数の後仕切部４のそれぞれは、底板部２の後端部から上方に突出する。複数の中間仕切部５は、複数の後仕切部４よりも前側にて底板部２から上方に突出する。複数の中間仕切部５はそれぞれ、複数の後仕切部４と前後方向に並ぶ。メス載置具１にメス９が載置される場合、メス９の把持部９１は、複数の後仕切部４のうち左右方向に隣接する２つの後仕切部４の間に配置される。メス９の刃先部９２は、前側壁部３によって囲まれる前部領域３１に配置される。前側壁部３の高さおよび複数の後仕切部４のそれぞれの高さは、複数の中間仕切部５のそれぞれの高さよりも高い。これにより、メス９をメス載置具１上に容易かつ安全に載置することができる。【選択図】図１
2020044313.tif 000002
【特許請求の範囲】
【請求項１】
医療用のメスが載置されるメス載置具であって、
上下方向に対して垂直に広がる底板部と、
前記底板部の前端部および前部両側縁から上方に突出するコの字型の前側壁部と、
前記底板部の後端部にて左右方向に配列され、それぞれが前記底板部の前記後端部から上方に突出する複数の後仕切部と、
前記複数の後仕切部よりも前側にて前記底板部から上方に突出し、前記複数の後仕切部とそれぞれ前後方向に並ぶ複数の中間仕切部と、
を備え、
メスが載置される場合、前記メスの把持部は、前記複数の後仕切部のうち左右方向に隣接する２つの後仕切部の間に配置され、前記メスの刃先部は前記前側壁部によって囲まれる領域に配置され、
前記前側壁部の高さおよび前記複数の後仕切部のそれぞれの高さは、前記複数の中間仕切部のそれぞれの高さよりも高いことを特徴とするメス載置具。
【請求項２】
請求項１に記載のメス載置具であって、
前記前側壁部の高さおよび前記複数の後仕切部のそれぞれの高さは、２０ｍｍ以上であることを特徴とするメス載置具。
【請求項３】
請求項１または２に記載のメス載置具であって、
前記２つの後仕切部の上端部は、前記２つの後仕切部の間に載置された前記メスの前記把持部の上端部よりも上側に位置することを特徴とするメス載置具。
【請求項４】
請求項１ないし３のいずれか１つに記載のメス載置具であって、
前記底板部の上面のうち前記２つの後仕切部の間から前方に延びる領域は、前方に向かうに従って漸次上方へと向かう傾斜面であることを特徴とするメス載置具。
【請求項５】
請求項１ないし４のいずれか１つに記載のメス載置具であって、
前記２つの後仕切部の左右方向に対向する一対の側面において、左右方向に垂直な仮想面に対する一方の側面の傾斜角は、他方の側面の傾斜角よりも大きいことを特徴とするメス載置具。
【請求項６】
請求項１ないし５のいずれか１つに記載のメス載置具であって、
前記前側壁部、前記複数の後仕切部および前記複数の中間仕切部は中実構造を有し、
前記底板部の下面において、前記前側壁部、前記複数の後仕切部および前記複数の中間仕切部の下側の領域と、周囲の領域とは、上下方向の同じ位置に位置することを特徴とするメス載置具。
【請求項７】
請求項１ないし６のいずれか１つに記載のメス載置具であって、
前後方向に並ぶ複数組の後仕切部および中間仕切部について、各組の後仕切部および中間仕切部の間にて前記底板部から上方に突出するとともに前後方向に延び、前記各組の後仕切部および中間仕切部を接続する接続仕切部をさらに備え、
前記各組の後仕切部および中間仕切部の高さは、前記接続仕切部の上下方向の高さよりも高いことを特徴とするメス載置具。
【請求項８】
請求項１ないし７のいずれか１つに記載のメス載置具であって、
前記底板部の下面は凹凸構造を有することを特徴とするメス載置具。
【請求項９】
請求項８に記載のメス載置具であって、
前記底板部の前記下面は、前記下面の周縁領域にて前記凹凸構造の周囲を囲む平滑面部を有することを特徴とするメス載置具。
【請求項１０】
請求項９に記載のメス載置具であって、
前記平滑面部の下端面は、前記凹凸構造の下端よりも下側、または、前記凹凸構造の前記下端と上下方向の同じ位置に位置することを特徴とするメス載置具。
【請求項１１】
請求項１ないし１０のいずれか１つに記載のメス載置具であって、
前記複数の中間仕切部よりも前側にて前記底板部から上方に突出し、前記複数の中間仕切部のうち少なくとも一部の中間仕切部と前後方向に並ぶ前仕切部をさらに備え、
前記前側壁部の高さおよび前記複数の後仕切部のそれぞれの高さは、前記前仕切部の高さよりも高いことを特徴とするメス載置具。
【発明の詳細な説明】
【技術分野】
【０００１】
本発明は、医療用のメスが載置されるメス載置具に関する。
【背景技術】
【０００２】
従来、外科手術に使用される医療用メス（以下、単に「メス」と呼ぶ。）を載置する際には、特許文献１に示されるようなメス載置具が利用されている。また、当該メス載置具は、看護師と執刀医との間でメスを受け渡しする際にも利用される。例えば、執刀医が看護師に使用済みのメスを渡す際には、執刀医は、看護師に直接的にメスを手渡すのではなく、看護師が持っているメス載置具上にメスを載置する。これにより、メスで手等を傷つけることを抑制することができ、医療者の安全性を向上することができる。
【０００３】
特許文献１の医療器具置きでは、複数のメスが配置可能なように、医療器具置きの手元側端部である後端部に、左右方向に並ぶ複数の後仕切部が設けられている。また、当該医療器具置きの前部は側壁部により囲まれており、当該側壁部と後仕切部との間には、左右方向に並ぶ複数の中間仕切部が設けられている。
【先行技術文献】
【特許文献】
【０００４】
【特許文献１】意匠登録第１４０５２６４号公報
【発明の概要】
【発明が解決しようとする課題】
【０００５】
ところで、特許文献１の医療器具置きでは、後仕切部、前部の側壁部、および、中間仕切部が、同じ高さで形成されている。このため、執刀医等が、メスを載置しようとしてメスの把持部を後仕切部間に挿入する際に、中間仕切部の上端部にメスが先に接触し、メスの載置が阻害されるおそれがある。また、前部の側壁部、および、後仕切部の高さが比較的低くなり、メスの刃先部および把持部が、当該側壁部および当該後仕切部から上方に突出する可能性がある。この場合、メスの突出している部位に医療者の手等が誤って接触し、メスが医療器具置きから跳ね上がったり、医療者の手等に切創が生じるおそれもある。
【０００６】
本発明は、上記課題に鑑みなされたものであり、メス載置具上にメスを容易かつ安全に載置することを目的としている。
【課題を解決するための手段】
【０００７】
請求項１に記載の発明は、医療用のメスが載置されるメス載置具であって、上下方向に対して垂直に広がる底板部と、前記底板部の前端部および前部両側縁から上方に突出するコの字型の前側壁部と、前記底板部の後端部にて左右方向に配列され、それぞれが前記底板部の前記後端部から上方に突出する複数の後仕切部と、前記複数の後仕切部よりも前側にて前記底板部から上方に突出し、前記複数の後仕切部とそれぞれ前後方向に並ぶ複数の中間仕切部とを備え、メスが載置される場合、前記メスの把持部は、前記複数の後仕切部のうち左右方向に隣接する２つの後仕切部の間に配置され、前記メスの刃先部は前記前側壁部によって囲まれる領域に配置され、前記前側壁部の高さおよび前記複数の後仕切部のそれぞれの高さは、前記複数の中間仕切部のそれぞれの高さよりも高い。
【０００８】
請求項２に記載の発明は、請求項１に記載のメス載置具であって、前記前側壁部の高さおよび前記複数の後仕切部のそれぞれの高さは、２０ｍｍ以上である。
【０００９】
請求項３に記載の発明は、請求項１または２に記載のメス載置具であって、前記２つの後仕切部の上端部は、前記２つの後仕切部の間に載置された前記メスの前記把持部の上端部よりも上側に位置する。
【００１０】
請求項４に記載の発明は、請求項１ないし３のいずれか１つに記載のメス載置具であって、前記底板部の上面のうち前記２つの後仕切部の間から前方に延びる領域は、前方に向かうに従って漸次上方へと向かう傾斜面である。
【００１１】
請求項５に記載の発明は、請求項１ないし４のいずれか１つに記載のメス載置具であって、前記２つの後仕切部の左右方向に対向する一対の側面において、左右方向に垂直な仮想面に対する一方の側面の傾斜角は、他方の側面の傾斜角よりも大きい。
【００１２】
請求項６に記載の発明は、請求項１ないし５のいずれか１つに記載のメス載置具であって、前記前側壁部、前記複数の後仕切部および前記複数の中間仕切部は中実構造を有し、前記底板部の下面において、前記前側壁部、前記複数の後仕切部および前記複数の中間仕切部の下側の領域と、周囲の領域とは、上下方向の同じ位置に位置する。
【００１３】
請求項７に記載の発明は、請求項１ないし６のいずれか１つに記載のメス載置具であって、前後方向に並ぶ複数組の後仕切部および中間仕切部について、各組の後仕切部および中間仕切部の間にて前記底板部から上方に突出するとともに前後方向に延び、前記各組の後仕切部および中間仕切部を接続する接続仕切部をさらに備え、前記各組の後仕切部および中間仕切部の高さは、前記接続仕切部の上下方向の高さよりも高い。
【００１４】
請求項８に記載の発明は、請求項１ないし７のいずれか１つに記載のメス載置具であって、前記底板部の下面は凹凸構造を有する。
【００１５】
請求項９に記載の発明は、請求項８に記載のメス載置具であって、前記底板部の前記下面は、前記下面の周縁領域にて前記凹凸構造の周囲を囲む平滑面部を有する。
【００１６】
請求項１０に記載の発明は、請求項９に記載のメス載置具であって、前記平滑面部の下端面は、前記凹凸構造の下端よりも下側、または、前記凹凸構造の前記下端と上下方向の同じ位置に位置する。
【００１７】
請求項１１に記載の発明は、請求項１ないし１０のいずれか１つに記載のメス載置具であって、前記複数の中間仕切部よりも前側にて前記底板部から上方に突出し、前記複数の中間仕切部のうち少なくとも一部の中間仕切部と前後方向に並ぶ前仕切部をさらに備え、前記前側壁部の高さおよび前記複数の後仕切部のそれぞれの高さは、前記前仕切部の高さよりも高い。
【発明の効果】
【００１８】
本発明では、メスを容易かつ安全に載置することができる。
【図面の簡単な説明】
【００１９】
【図１】一の実施の形態に係るメス載置具の斜視図である。
【図２】メス載置具の平面図である。
【図３】メス載置具の側面図である。
【図４】メス載置具の底面図である。
【図５】メス載置具の断面図である。
【図６】メス載置具の断面図である。
【図７】メス載置具の断面図である。
【図８】メス載置具上にメスが載置された状態を示す平面図である。
【図９】メス載置具上にメスが載置された状態を示す側面図である。
【図１０】メス載置具の底面図である。
【図１１】メス載置具の断面図である。
【発明を実施するための形態】
【００２０】
図１は、本発明の一の実施の形態に係るメス載置具１を示す斜視図である。図２は、メス載置具１の平面図である。図３は、メス載置具１の側面図である。図４は、メス載置具１の底面図である。図５は、メス載置具１を図２中のＶ−Ｖの位置にて切断した断面図である。図６は、メス載置具１を図２中のＶＩ−ＶＩの位置にて切断した断面図である。図７は、メス載置具１を図２中のＶＩＩ−ＶＩＩの位置にて切断した断面図である。
【００２１】
メス載置具１は、外科手術等の際に使用される医療用のメスが載置される医療用の物品であり、メスホルダー、メスケース等とも呼ばれる。メス載置具１は、好ましくは硬質樹脂製である。メス載置具１の色は、医療者が着用する手術着の色、および、患者や機器台を覆うドレープの色と異なる色（例えば、補色）であることが好ましい。これにより、メス載置具１の位置を容易に視認することができる。メス載置具１は、例えば、インジェクション成形またはプレス成形により形成される。
【００２２】
以下の説明では、図２中のメス載置具１の左右方向を単に「左右方向」と呼び、図２中の上下方向（すなわち、メス載置具１の長手方向）を「前後方向」と呼ぶ。図２中の上側がメス載置具１の「前側」であり、図２中の下側がメス載置具１の「後側」である。メス載置具１では、医療用のメスの長手方向が当該前後方向に略平行になるように、刃先部を前側に向けてメスが載置される。また、以下の説明では、メス載置具１の厚さ方向（すなわち、上記前後方向および左右方向に垂直な方向）を、「上下方向」と呼ぶ。メス載置具１が使用される際には、メス載置具１の上下方向は、必ずしも重力方向と一致する必要はない。
【００２３】
メス載置具１は、底板部２と、前側壁部３と、後仕切部４と、中間仕切部５と、前仕切部６と、接続仕切部７とを備える。底板部２、前側壁部３、後仕切部４、中間仕切部５、前仕切部６および接続仕切部７は、一繋がりの部材である。換言すれば、底板部２、前側壁部３、後仕切部４、中間仕切部５、前仕切部６および接続仕切部７は、一体的に成形されている。図１に示す例では、後仕切部４、中間仕切部５、前仕切部６および接続仕切部７はそれぞれ、複数設けられている。
【００２４】
底板部２は、上下方向に対して略垂直に広がる板状の部位である。底板部２の平面視における形状は、前後方向の長さが左右方向の幅よりも大きい略矩形状である。底板部２の前後方向の長さは、例えば、１０ｃｍ〜２０ｃｍである。底板部２の左右方向の幅は、例えば、３ｃｍ〜１０ｃｍである。底板部２の前縁の平面視における形状は、左右方向の中央部が前方に突出するように湾曲する略円弧状である。底板部２の後縁の平面視における形状は、左右方向に略平行な略直線状である。
【００２５】
前側壁部３は、底板部２の前端部および前部両側縁から上方に突出する壁状（すなわち、上下方向に略平行に延びる板状）の部位である。前側壁部３の平面視における形状は、後方に向かって開口する略コの字（すなわち、略Ｃ字状）である。前側壁部３は、底板部２の前縁および側縁の前部に沿って配置され、底板部２の前側のおよそ１／３〜１／２を囲む。換言すれば、前側壁部３の前後方向の長さは、底板部２の前後方向の長さの約１／３〜１／２である。
【００２６】
図１に示す例では、前側壁部３の上下方向の高さ（以下、単に「高さ」とも呼ぶ。）は、前側壁部３の左右両側の後端部を除き、およそ同じである。前側壁部３の高さとは、前側壁部３の上端と底板部２の下面２２との間の上下方向の距離（すなわち、底板部２の下面２２からの高さ）である。前側壁部３の高さには、後述する凹凸構造２６の凸部２７の高さは含まない。前側壁部３の高さが前後方向の位置等により異なる場合、他の部位の高さとの大小を比較する際には、前側壁部３の高さとは、前側壁部３の最大高さを意味する。他の部位の上下方向の高さについても同様である。前側壁部３の後端部の高さは、後方に向かうに従って減少する。前側壁部３の高さは、左右両側の後端部を除き、例えば１５ｍｍ〜３０ｍｍであり、好ましくは２０ｍｍ以上である。
【００２７】
複数の後仕切部４は、底板部２の後端部にて左右方向に略平行に配列される。複数の後仕切部４は、底板部２の後縁に沿って互いに離間しつつ配置される。複数の後仕切部４はそれぞれ、底板部２の後端部から上方に突出する略柱状（例えば、略四角柱状または略四角錐台状）の部位である。複数の後仕切部４は、前側壁部３の後端から後方に離間した位置に配置される。図１に示す例では、後仕切部４の数は４である。４つの後仕切部４のうち、左右方向の両端に位置する２つの後仕切部４は、底板部２の後端部の側端部に位置する。なお、後仕切部４の数は、２以上の範囲で適宜変更されてよい。
【００２８】
複数の後仕切部４の上下方向の高さは、およそ同じである。後仕切部４の高さは、例えば、前側壁部３の高さとおよそ同じである。後仕切部４の高さは、例えば１５ｍｍ〜３０ｍｍであり、好ましくは２０ｍｍ以上である。後仕切部４の前後方向の長さＬ４は、例えば１０ｍｍ〜２５ｍｍである。
【００２９】
複数の後仕切部４のうち、左右方向に隣接する各２つの後仕切部４では、当該２つの後仕切部４の左右方向に対向する一対の側面４１（以下、「後仕切側面４１」と呼ぶ。）は、底板部２から上方に向かうに従って左右方向に離れる略平面である。換言すれば、当該一対の後仕切側面４１の間の間隙４２は、底板部２から上方に向かうに従って左右方向に漸次拡大する。図２に示す例では、間隙４２は、一対の後仕切側面４１の間から前方へと延び、後述する一対の接続仕切側面７１の間を通過して、一対の中間仕切側面５１の間へと至る。また、メス載置具１には、３つの間隙４２が設けられる。間隙４２の数は適宜変更されてよい。
【００３０】
各間隙４２を挟む一対の後仕切側面４１のうち、図５中の右側に位置する後仕切側面４１は、左右方向に垂直な仮想面に対して傾斜角αにて傾斜する傾斜面である。また、図５中の左側に位置する後仕切側面４１は、左右方向に垂直な仮想面に対して傾斜角βにて傾斜する傾斜面である。図５に示す例では、傾斜角αは傾斜角βよりも大きい。傾斜角αは、例えば０°よりも大きく、かつ、２０°以下である。傾斜角βは、例えば０°よりも大きく、かつ、１５°以下である。なお、上記一対の後仕切側面４１では、傾斜角αの後仕切側面４１が図５中の左側に位置し、傾斜角βの後仕切側面４１が図５中の右側に位置してもよい。
【００３１】
複数の中間仕切部５は、前後方向において前側壁部３と複数の後仕切部４との間に位置し、左右方向に略平行に配列される。具体的には、複数の中間仕切部５は、前側壁部３の後端から後方に離間した位置に位置し、複数の後仕切部４よりも前側に配置される。複数の中間仕切部５はそれぞれ、底板部２から上方に突出する略柱状（例えば、略四角柱状または略四角錐台状）の部位である。複数の中間仕切部５は、互いに離間しつつ、複数の後仕切部４とそれぞれ前後方向に並ぶ。換言すれば、複数の中間仕切部５はそれぞれ、複数の後仕切部４と左右方向の略同じ位置に位置する。図１に示す例では、中間仕切部５の数は４である。４つの中間仕切部５のうち、左右方向の両端に位置する２つの中間仕切部５は、底板部２の側端部に位置する。なお、中間仕切部５の数も、後仕切部４と同様に、２以上の範囲で適宜変更されてよい。
【００３２】
複数の中間仕切部５の上下方向の高さは、およそ同じである。中間仕切部５の高さは、前側壁部３の高さ、および、後仕切部４の高さよりも低い。換言すれば、前側壁部３の高さおよび複数の後仕切部４のそれぞれの高さは、複数の中間仕切部５のそれぞれの高さよりも高い。中間仕切部５の高さは、例えば１０ｍｍ〜２０ｍｍであり、好ましくは１５ｍｍ以上である。中間仕切部５の前後方向の長さＬ５は、例えば５ｍｍ〜１５ｍｍである。
【００３３】
複数の中間仕切部５のうち、左右方向に隣接する各２つの中間仕切部５では、当該２つの中間仕切部５の左右方向に対向する一対の側面５１（以下、「中間仕切側面５１」と呼ぶ。）は、底板部２から上方に向かうに従って左右方向に離れる略平面である。換言すれば、当該一対の中間仕切側面５１の間の上述の間隙４２は、底板部２から上方に向かうに従って左右方向に漸次拡大する。当該一対の中間仕切側面５１はそれぞれ、上述の一対の後仕切側面４１とおよそ同じ傾斜角にて傾斜する傾斜面である。
【００３４】
複数の接続仕切部７は、前後方向において複数の中間仕切部５と複数の後仕切部４との間に位置し、左右方向に略平行に配列される。接続仕切部７は、前後方向に並ぶ複数組の後仕切部４および中間仕切部５について、各組の後仕切部４および中間仕切部５の間に配置され、当該後仕切部４および中間仕切部５を接続する。複数の接続仕切部７はそれぞれ、底板部２から上方に突出するとともに前後方向に延びる略柱状（例えば、略四角柱状または略四角錐台状）の部位である。複数の接続仕切部７は、互いに離間しつつ、複数の後仕切部４および複数の中間仕切部５とそれぞれ前後方向に並ぶ。換言すれば、複数の接続仕切部７はそれぞれ、複数の後仕切部４および複数の中間仕切部５と左右方向の略同じ位置に位置する。図１に示す例では、接続仕切部７の数は４である。４つの接続仕切部７のうち、左右方向の両端に位置する２つの接続仕切部７は、底板部２の側端部に位置する。なお、接続仕切部７の数も、後仕切部４および中間仕切部５と同様に、２以上の範囲で適宜変更されてよい。
【００３５】
複数の接続仕切部７の上下方向の高さは、およそ同じである。接続仕切部７の高さは、例えば、中間仕切部５の高さ、および、後仕切部４の高さよりも低い。換言すれば、前後方向に並ぶ各組の後仕切部４および中間仕切部５の高さは、接続仕切部７の高さよりも高い。接続仕切部７の高さは、例えば５ｍｍ〜１５ｍｍであり、好ましくは１０ｍｍ以上である。接続仕切部７の前後方向の長さＬ７は、例えば５ｍｍ〜２５ｍｍである。
【００３６】
複数の接続仕切部７のうち、左右方向に隣接する各２つの接続仕切部７では、当該２つの接続仕切部７の左右方向に対向する一対の側面７１（以下、「接続仕切側面７１」と呼ぶ。）は、底板部２から上方に向かうに従って左右方向に離れる略平面である。換言すれば、当該一対の接続仕切側面７１の間の上述の間隙４２は、底板部２から上方に向かうに従って左右方向に漸次拡大する。当該一対の接続仕切側面７１はそれぞれ、上述の一対の後仕切側面４１および一対の中間仕切側面５１とおよそ同じ傾斜角にて傾斜する傾斜面である。
【００３７】
上述の間隙４２の底部における左右方向の幅は、例えば、前後方向のいずれの位置でもおよそ同じである。換言すれば、底板部２の上面２１のうち、左右方向に隣接する２つの後仕切部４の間から前方に延びる領域２３（以下、「第１仕切部間領域２３」と呼ぶ。）の左右方向の幅は、第１仕切部間領域２３の前後方向の略全長に亘っておよそ一定である。第１仕切部間領域２３の幅は、例えば、５ｍｍ〜１０ｍｍである。図６に示すように、第１仕切部間領域２３は、底板部２の後縁から前方に向かうに従って漸次上方へと向かう傾斜面である。第１仕切部間領域２３の水平面に対する傾斜角は、例えば、０．５°〜３°である。
【００３８】
複数の前仕切部６は、前後方向において前側壁部３の前端部と複数の中間仕切部５との間に位置し、左右方向に略平行に配列される。具体的には、複数の前仕切部６は、前側壁部３の左右両側の後端部と前後方向のおよそ同じ位置に位置し、複数の中間仕切部５よりも前側に配置される。複数の前仕切部６はそれぞれ、底板部２から上方に突出する略柱状（例えば、略四角柱状または略四角錐台状）の部位である。複数の前仕切部６は、互いに離間しつつ、複数の中間仕切部５とそれぞれ前後方向に並ぶ。換言すれば、複数の前仕切部６はそれぞれ、複数の中間仕切部５と左右方向の略同じ位置に位置する。図１に示す例では、前仕切部６の数は４である。４つの前仕切部６のうち、左右方向の両端に位置する２つの前仕切部６は、底板部２の側端部近傍に位置し、前側壁部３の左右両側の後端部と左右方向に連続する。なお、前仕切部６の数は適宜変更されてよい。
【００３９】
複数の前仕切部６の上下方向の高さは、およそ同じである。前仕切部６の高さは、例えば、前側壁部３の高さ、および、後仕切部４の高さよりも低い。換言すれば、前側壁部３の高さおよび複数の後仕切部４のそれぞれの高さは、複数の前仕切部６のそれぞれの高さよりも高い。前仕切部６の高さは、例えば、中間仕切部５の高さよりも高い。前仕切部６の高さは、例えば１０ｍｍ〜２５ｍｍであり、好ましくは１５ｍｍ以上である。前仕切部６の前後方向の長さＬ６は、例えば５ｍｍ〜１０ｍｍである。
【００４０】
複数の前仕切部６のうち、左右方向に隣接する各２つの前仕切部６では、当該２つの前仕切部６の左右方向に対向する一対の側面６１（以下、「前仕切側面６１」と呼ぶ。）は、底板部２から上方に向かうに従って左右方向に離れる略平面である。換言すれば、当該一対の前仕切側面６１の間の間隙６２は、底板部２から上方に向かうに従って左右方向に漸次拡大する。当該間隙６２は、上述の間隙４２と前後方向に並ぶ。間隙６２の数は、上述の間隙４２の数と同じである。一対の前仕切側面６１はそれぞれ、上述の一対の後仕切側面４１とおよそ同じ傾斜角にて傾斜する傾斜面である。
【００４１】
上述の間隙６２の底部における左右方向の幅は、例えば、前後方向のいずれの位置でもおよそ同じである。換言すれば、底板部２の上面２１のうち、左右方向に隣接する２つの前仕切部６の間にて前後方向に延びる領域２４（以下、「第２仕切部間領域２４」と呼ぶ。）の左右方向の幅は、第２仕切部間領域２４の前後方向の略全長に亘っておよそ一定である。第２仕切部間領域２４の幅は、例えば、上述の第１仕切部間領域２３と同様に５ｍｍ〜１０ｍｍである。
【００４２】
第２仕切部間領域２４は、第１仕切部間領域２３と前後方向に並ぶ。図６に示すように、第２仕切部間領域２４は、後側から前方に向かうに従って漸次上方へと向かう傾斜面である。第２仕切部間領域２４の水平面に対する傾斜角は、第１仕切部間領域２３の水平面に対する傾斜角とおよそ同じである。第２仕切部間領域２４は、第１仕切部間領域２３を前方へと延ばした仮想面（図６中に二点鎖線にて示す。）上に位置する。
【００４３】
底板部２の上面２１には、複数の前仕切部６と複数の中間仕切部５との間に位置する凹部２５が設けられる。図１に示す例では、平面視において略矩形状の３つの凹部２５が左右方向に配列される。各凹部２５は、前後方向に並ぶ第１仕切部間領域２３および第２仕切部間領域２４の間に配置され、第１仕切部間領域２３および第２仕切部間領域２４と前後方向に並ぶ。
【００４４】
図７に示すように、各後仕切部４、各接続仕切部７、各中間仕切部５、および、各前仕切部６はそれぞれ、上端から底板部２に至るまで空洞を実質的に含まない中実構造を有することが好ましい。なお、当該空洞は、メス載置具１の製造時に意図的に設けられた空間を意味する。底板部２の下面２２では、各後仕切部４、各接続仕切部７、各中間仕切部５、および、各前仕切部６のそれぞれの下側に位置する領域と、当該領域の周囲の領域（例えば、第１仕切部間領域２３および第２仕切部間領域２４の下側の領域）とは、上下方向の略同じ位置に位置する。
【００４５】
底板部２の下面２２は、凹凸構造２６を有する。図４に示す例では、格子状に配置された多数の矩形のそれぞれが、下方へと突出する小さな凸部２７である。凸部２７は、例えば、底面が上側に位置し、天頂が下側に位置する四角錐（いわゆる、ピラミッド）型の凸部である。図４では、図示の都合上、当該四角錐の斜辺の図示を省略している。複数の凸部２７は、前後方向に対して所定の角度（例えば、４５°）にて傾斜する方向に略均等に配列される。凸部２７の上下方向の高さは、例えば１ｍｍ〜２ｍｍである。凹凸構造２６の凸部２７を含まない底板部２の上下方向の高さ（すなわち、底板部２の板厚）は、例えば１ｍｍ〜２ｍｍである。
【００４６】
図８は、メス載置具１上にメス９が載置された状態を示す平面図である。図９は、メス載置具１上にメス９が載置された状態を示す側面図である。メス９の把持部９１（すなわち、刃先部９２を除く柄部）は、メス載置具１の複数の後仕切部４のうち、左右方向に隣接する２つの後仕切部４の間に配置される。また、メス９の把持部９１は、当該２つの後仕切部４と連続する２つの接続仕切部７および２つの中間仕切部５の間にも位置する。さらに、メス９の把持部９１は、上記２つの後仕切側面４１と前後方向に並ぶ２つの前仕切側面６１の間にも位置する。
【００４７】
メス９の把持部９１は、第１仕切部間領域２３および第２仕切部間領域２４において、底板部２の上面２１に接触し、底板部２により下方から支持される。また、把持部９１は、上記２つの後仕切部４のうち、図８中の右側の後仕切側面４１に接触し、当該後仕切側面４１により側方から支持される。メス９の把持部９１は、図８中の右側の接続仕切側面７１、中間仕切側面５１および前仕切側面６１にも接触する。換言すれば、メス９は、図８中の右側に傾いた状態で、メス載置具１の底板部２上に載置される。なお、メス９の把持部９１は、凹部２５の上方では底板部２に接触しない。
【００４８】
メス９の刃先部９２は、前側壁部３によって囲まれる領域３１（以下、「前部領域３１」と呼ぶ。）に配置される。前部領域３１は、前後方向に関して、前側壁部３の前端から左右両側の後端に至る。また、前部領域３１は、前仕切部６よりも前側に位置する。換言すれば、前部領域３１は、コの字状の前側壁部３と複数の前仕切部６とにより囲まれる空間である。前部領域３１は、平面視において略矩形状である。メス９の刃先部９２は、前部領域３１において、底板部２の上面２１から上方に離間しており、底板部２とは非接触状態である。刃先部９２は、前側壁部３等のメス載置具１の他の部位とも直接的に接触していない。刃先部９２の上端部は、前側壁部３の上端部よりも下方に位置することが好ましい。
【００４９】
メス載置具１にメス９が載置された状態では、メス９の把持部９１の後端部は、後仕切部４よりも後方に突出しないことが好ましい。換言すれば、把持部９１の後端は、後仕切部４の後端と前後方向の同じ位置に位置する、または、後仕切部４の後端よりも前側に位置することが好ましい。また、メス載置具１にメス９が載置された状態では、メス９の把持部９１の上端部は、左右の２つの後仕切部４よりも上方に突出しないことが好ましい。換言すれば、当該２つの後仕切部４の上端部は、当該２つの後仕切部４の間に載置されたメス９の把持部９１の上端部よりも上側に位置することが好ましい。これにより、メス載置具１上に載置されたメス９の把持部９１の後端部に、医療者が誤って接触することが抑制される。
【００５０】
メス載置具１上に載置されたメス９の把持部９１に医療者が誤って接触することを抑制するという観点からは、メス９の左右に位置する２つの前仕切部６の上端部も、メス９の把持部９１の上端部よりも上側に位置してもよい。また、メス９の左右に位置する２つの中間仕切部５の上端部も、メス９の把持部９１の上端部よりも上側に位置してもよい。
【００５１】
以上に説明したように、メス載置具１は、底板部２と、コの字型の前側壁部３と、複数の後仕切部４と、複数の中間仕切部５とを備える。底板部２は、上下方向に対して垂直に広がる。前側壁部３は、底板部２の前端部および前部両側縁から上方に突出する。複数の後仕切部４は、底板部２の後端部にて左右方向に配列される。複数の後仕切部４のそれぞれは、底板部２の後端部から上方に突出する。複数の中間仕切部５は、複数の後仕切部４よりも前側にて底板部２から上方に突出する。複数の中間仕切部５はそれぞれ、複数の後仕切部４と前後方向に並ぶ。
【００５２】
メス載置具１にメス９が載置される場合、メス９の把持部９１は、複数の後仕切部４のうち左右方向に隣接する２つの後仕切部４の間に配置される。メス９の刃先部９２は、前側壁部３によって囲まれる領域（すなわち、前部領域３１）に配置される。前側壁部３の高さおよび複数の後仕切部４のそれぞれの高さは、複数の中間仕切部５のそれぞれの高さよりも高い。
【００５３】
これにより、メス９の把持部９１を２つの後仕切部４の間に挿入する前に、メス９が中間仕切部５の上端部にぶつかってメス９の載置が阻害されたり、メス９の刃先部９２が意図せぬ方向を向くことを抑制することができる。その結果、メス９をメス載置具１上に容易かつ安全に載置することができる。また、前側壁部３および複数の後仕切部４を比較的高くすることにより、メス９の把持部９１および刃先部９２が、後仕切部４および前側壁部３よりも上方に突出することを抑制することができる。その結果、メス載置具１上に載置されたメス９を医療者間で受け渡しする際等に、医療者の手等が誤ってメス９に接触してメス９がメス載置具１から跳ね上がったり、医療者の手等に切創が生じることを抑制することができる。したがって、メス９の受け渡し時の安全性、および、メス９が載置された状態のメス載置具１の安全性を向上することができる。
【００５４】
上述のように、前側壁部３の高さおよび複数の後仕切部４のそれぞれの高さは２０ｍｍ以上であることが好ましい。これにより、メス９の把持部９１および刃先部９２が、後仕切部４および前側壁部３よりも上方に突出することを抑制することができる。その結果、医療者の手等が誤ってメス９に接触してメス９がメス載置具１から跳ね上がったり、医療者の手等に切創が生じることをさらに抑制することができる。したがって、メス９の受け渡し時の安全性、および、メス９が載置された状態のメス載置具１の安全性をさらに向上することができる。
【００５５】
上述のように、２つの後仕切部４の上端部は、当該２つの後仕切部４の間に載置されたメス９の把持部９１の上端部よりも上側に位置することが好ましい。これにより、医療者の手等が誤ってメス９の把持部９１の後端部に接触してメス９の刃先部９２がメス載置具１から跳ね上がったり、医療者の手等に切創が生じることを抑制することができる。その結果、メス９の受け渡し時の安全性、および、メス９が載置された状態のメス載置具１の安全性をさらに向上することができる。
【００５６】
上述のように、底板部２の上面２１のうち、２つの後仕切部４の間から前方に延びる領域（すなわち、第１仕切部間領域２３）は、前方に向かうに従って漸次上方へと向かう傾斜面であることが好ましい。これにより、メス９の刃先部９２が把持部９１よりも少し上側に配置されるため、下方に突出または湾曲している刃先部９２を有するメス９が載置される場合あっても、刃先部９２が底板部２の上面２１に接触することを抑制することができる。その結果、メス載置具１に載置されたメス９の安定性を向上することができる。
【００５７】
また、底板部２の上面２１のうち、２つの前仕切部６の間にて前後方向に延びる領域（すなわち、第２仕切部間領域２４）も、前方に向かうに従って漸次上方へと向かう傾斜面であることが好ましい。これにより、メス９の刃先部９２が底板部２の上面２１に接触することをさらに抑制することができる。その結果、メス載置具１に載置されたメス９の安定性をより一層向上することができる。
【００５８】
メス載置具１では、前後方向に並ぶ複数組の後仕切部４および中間仕切部５について、各組の後仕切部４および中間仕切部５を接続する接続仕切部７をさらに備えることが好ましい。接続仕切部７は、各組の後仕切部４および中間仕切部５の間にて底板部２から上方に突出するとともに前後方向に延びる。これにより、メス９をメス載置具１に載置する際に、メス９の把持部９１が、前後方向に並ぶ後仕切部４と中間仕切部５との間に誤って載置されることを抑制することができる。その結果、メス９を所定の載置方向である前後方向に沿って正しく載置することができる。
【００５９】
メス載置具１では、２つの後仕切部４の左右方向に対向する一対の側面（すなわち、後仕切側面４１）において、左右方向に垂直な仮想面に対する一方の後仕切側面４１の傾斜角αは、他方の後仕切側面４１の傾斜角βよりも大きいことが好ましい。これにより、メス載置具１にメス９を載置した際に、メス９の側面は、大きい傾斜角αを有する後仕切側面４１に接触し、メス９が、当該後仕切側面４１側に傾いた状態で支持される。このため、医療者は、所定の方向からメス９の刃先部９２の形状を視認しやすくなる。その結果、医療者は、メス載置具１に載置されているメス９の種類を容易に判別することができる。
【００６０】
上述のように、前側壁部３、複数の後仕切部４および複数の中間仕切部５は、中実構造を有することが好ましい。また、底板部２の下面２２において、前側壁部３、複数の後仕切部４および複数の中間仕切部５の下側の領域と、周囲の領域とは、上下方向の同じ位置に位置することが好ましい。これにより、メス載置具１の重量を比較的重くすることができるとともに、メス載置具１が載置される場所（例えば、不織布カバー上）と底板部２との接触面積を大きくすることができる。その結果、メス載置具１が載置された場所からずれることを抑制することができる。なお、メス載置具１では、複数の接続仕切部７、および、複数の前仕切部６も、中実構造を有することが好ましい。
【００６１】
上述のように、底板部２の下面２２は凹凸構造２６を有することが好ましい。これにより、メス載置具１が載置される場所（例えば、不織布カバー上）と底板部２との摩擦を大きくすることができる。その結果、メス載置具１が載置された場所からずれることを抑制することができる。
【００６２】
上述のように、メス載置具１は、複数の中間仕切部５よりも前側にて底板部２から上方に突出する複数の前仕切部６をさらに備えることが好ましい。複数の前仕切部６は、複数の中間仕切部５と前後方向に並ぶ。これにより、メス９をメス載置具１に載置する際に、メス９が斜めに（すなわち、前後方向に対して傾斜して）載置されることを抑制することができる。その結果、メス９を所定の載置方向である前後方向に沿って正しく載置することができる。
【００６３】
また、メス載置具１では、前側壁部３の高さおよび複数の後仕切部４のそれぞれの高さは、複数の前仕切部６のそれぞれの高さよりも高いことが好ましい。これにより、メス９の把持部９１を２つの後仕切部４の間に挿入する前に、メス９が前仕切部６の上端部にぶつかってメス９の載置が阻害されたり、メス９の刃先部９２が意図せぬ方向を向くことを抑制することができる。その結果、メス載置具１上にメス９をより一層容易かつ安全に載置することができる。
【００６４】
メス載置具１では、前仕切部６の数は、必ずしも中間仕切部５の数と同じである必要はない。例えば、図１に示す例では、４つの前仕切部６のうち左右両端の２つの前仕切部６は、省略されてもよく、あるいは、前側壁部３の左右両側の後端部と一体化されてもよい。この場合、残る２つの前仕切部６は、４つの中間仕切部５のうち、左右方向の中央部に位置する２つの中間仕切部５（すなわち、複数の中間仕切部５のうち一部の中間仕切部５）と前後方向に並ぶ。また、中間仕切部５の数が３である場合、左右方向の中央に位置する中間仕切部５と前後方向に並ぶ１つの前仕切部６がメス載置具１に設けられてもよい。換言すれば、前仕切部６の数は１であってもよい。
【００６５】
すなわち、メス載置具１は、複数の中間仕切部５よりも前側にて底板部２から上方に突出し、複数の中間仕切部５のうち少なくとも一部の中間仕切部５と前後方向に並ぶ前仕切部６をさらに備えることが好ましい。また、好ましくは、当該前仕切部６の高さよりも、前側壁部３の高さおよび複数の後仕切部４のそれぞれの高さの方が高い。これにより、上記と同様に、メス９を所定の載置方向である前後方向に沿って正しく載置することができる。また、メス載置具１上にメス９をより一層容易かつ安全に載置することができる。
【００６６】
図１０は、メス載置具１の下面２２の他の例を示す底面図である。図１０に示す例では、底板部２の下面２２の周縁領域は、凹凸構造２６が設けられない平滑面部２８である。平滑面部２８は、下面２２の周縁領域の全周に亘って設けられ、凹凸構造２６の周囲を囲む。換言すれば、凹凸構造２６は、略環状の平滑面部２８に囲まれた内側の領域に設けられる。なお、図１０に示す例では、凹凸構造２６の前後方向の中央部に、凸部２７が設けられない非凹凸領域２６０が配置されており、非凹凸領域２６０により凹凸構造２６が前後に分断されている。
【００６７】
平滑面部２８が設けられる上記周縁領域とは、下面２２の周縁を含み、当該周縁から内側に広がる帯状の領域である。当該周縁領域の幅（すなわち、平滑面部２８の幅）は、下面２２の全周に亘っておよそ一定である。平滑面部２８の幅は、例えば、凹凸構造２６における凸部２７のピッチの１倍〜２．５倍である。例えば、当該ピッチが２ｍｍの場合、平滑面部２８の幅は、２ｍｍ〜５ｍｍである。なお、平滑面部２８の幅は変化してもよい。
【００６８】
図１１は、図１０に示すメス載置具１の平滑面部２８近傍の部位を、Ｘ１−Ｘ１の位置にて前後方向に垂直に切断した断面図である。図１１に示す例では、平滑面部２８の下端面２８１は、上下方向に略垂直であり、凹凸構造２６の下端（すなわち、複数の凸部２７の下端の頂点）と上下方向の略同じ位置に位置する。平滑面部２８の下端面２８１は、凹凸構造２６の下端よりも下側に位置してもよい。いずれの場合も、凹凸構造２６の下端が、平滑面部２８の下端面２８１よりも下方に突出することが防止される。平滑面部２８の下端面２８１が、凹凸構造２６の下端よりも下側に位置する場合、下端面２８１と凹凸構造２６の下端との間の上下方向の距離は、例えば、０ｍｍよりも大きく、かつ、１ｍｍ以下であり、好ましくは、０．３ｍｍ〜０．５ｍｍである。なお、平滑面部２８の下端面２８１は、凹凸構造２６の下端よりも上側に位置していてもよい。
【００６９】
図１１に示す例では、底板部２の下面２２の端縁（平滑面部２８の端縁でもある。）は、左右方向の外側かつ下方に向かって凸状であるＲ形状を有する。当該端縁は、Ｃ面形状を有していてもよい。換言すれば、底板部２の下面２２の端縁は、角部を有しない形状である。さらに換言すれば、底板部２の下面２２の端縁は、Ｒ面取り加工またはＣ面取り加工が施された場合と略同様の形状を有する。なお、メス載置具１がインジェクション成形またはプレス成形により形成される場合、実際には、当該端縁に対して面取り加工が行われることはなく、金型により上記形状が実現される。
【００７０】
以上に説明したように、底板部２の下面２２は、下面２２の周縁領域にて凹凸構造２６の周囲を囲む平滑面部２８を有することが好ましい。これにより、下面２２の周縁領域に凹凸構造２６が設けられる場合に比べて、メス載置具１の下面２２の端縁に接触した物品が凹凸構造２６により擦られて（すなわち、引っ掻かれて）傷つくことを抑制することができる。例えば、ドレープに対してメス載置具１が傾斜した状態で近付けられ、最初にメス載置具１の下面２２の端縁のみがドレープに接触するような場合であっても、ドレープが当該端縁により擦られて傷つくことを抑制することができる。また、メス載置具１を保持する医療者の指や掌等がメス載置具１の下面２２の端縁に接触して痛みを感じることを抑制することができる。
【００７１】
上述のように、メス載置具１の下面２２の端縁は、角部を有しない形状であることがさらに好ましい。これにより、下面２２の端縁に接触した物品が傷つくことをさらに抑制することができる。また、メス載置具１を保持する医療者が痛みを感じることをさらに抑制することができる。
【００７２】
上述のように、平滑面部２８の下端面２８１は、凹凸構造２６の下端よりも下側、または、凹凸構造２６の当該下端と上下方向の同じ位置に位置することが好ましい。これにより、メス載置具１がトレーの底のような平らな硬い面上に載置された状態で、凹凸構造２６が当該面に接触することを防止または抑制することができる。これにより、当該面上にてメス載置具１が移動した場合（例えば、何らかの衝撃等で滑り動いた場合）であっても、当該面が凹凸構造２６により傷つくことを防止または抑制することができる。一方、メス載置具１が患者を覆うドレープ等の柔軟な物品上に載置された状態では、ドレープ等の一部が凹凸構造２６の複数の凸部２７の間に入り込んで凹凸構造２６と接触し、凹凸構造２６が滑り止めとして働くため、メス載置具１の位置がずれることを防止または抑制することができる。
【００７３】
上述のメス載置具１では、様々な変更が可能である。
【００７４】
例えば、底板部２の下面２２に設けられる凹凸構造２６では、凸部２７の数、大きさ、形状および配置は、様々に変更されてよい。例えば、凹凸構造２６として、平面視における１辺の長さが約１ｍｍ〜２ｍｍの正方形状の突起部が、１０個程度、底板部２の下面２２に略均等に互いに離間して配置されてもよい。あるいは、凹凸構造２６は、シボ加工により形成された細かい皺による凹凸模様（すなわち、シボ）であってもよい。なお、メス載置具１では、底板部２の下面２２から凹凸構造２６が省略されてもよい。
【００７５】
メス載置具１では、前側壁部３、複数の後仕切部４、複数の接続仕切部７、複数の中間仕切部５および複数の前仕切部６のうち、いずれか１つ以上の部位が中空構造を有していてもよい。この場合、底板部２の下面２２において、当該部位の下側の領域は上方に向かって凹んでいてもよい。
【００７６】
左右方向に対向する一対の後仕切側面４１では、一方の後仕切側面４１の傾斜角αと、他方の後仕切側面４１の傾斜角βとはおよそ同じであってもよい。また、傾斜角αおよび／または傾斜角βは、約０°であってもよい。換言すれば、一対の後仕切側面４１の一方または双方が、左右方向に対して略垂直であってもよい。左右方向に対向する一対の接続仕切側面７１、一対の中間仕切側面５１および一対の前仕切側面６１についても同様である。
【００７７】
底板部２の上面２１では、第１仕切部間領域２３は必ずしも傾斜面である必要はなく、上下方向に対して略垂直であってもよい。また、第２仕切部間領域２４も必ずしも傾斜面である必要はなく、上下方向に対して略垂直であってもよい。
【００７８】
メス載置具１では、複数の後仕切部４の高さ、前後方向の長さ、形状および数等は、上述の例には限定されず、適宜変更されてよい。複数の接続仕切部７、複数の中間仕切部５、および、複数の前仕切部６についても同様である。また、２つの後仕切部４の間に載置されたメス９の把持部９１の上端部は、当該２つの後仕切部４の上端部と上下方向の略同じ位置に位置していてもよく、当該２つの後仕切部４の上端部よりも多少上側に突出していてもよい。
【００７９】
メス載置具１では、複数の後仕切部４の高さは異なっていてもよい。また、複数の中間仕切部５の高さも異なっていてもよい。さらには、前側壁部３の高さと、複数の後仕切部４のそれぞれの高さとは異なっていてもよい。前仕切部６の高さは、例えば、前側壁部３の高さ、および／または、複数の後仕切部４のそれぞれの高さと略同じであってもよい。
【００８０】
メス載置具１では、前仕切部６は必ずしも設けられる必要はなく、省略されてもよい。また、メス載置具１では、複数の接続仕切部７は必ずしも設けられる必要はなく、省略されてもよい。
【００８１】
メス載置具１は、メス９以外の医療器具（例えば、持針器、剪刀、鉗子等）の載置に利用されてもよい。
【００８２】
上記実施の形態および各変形例における構成は、相互に矛盾しない限り適宜組み合わされてよい。
【符号の説明】
【００８３】
１    メス載置具
２    底板部
３    前側壁部
４    後仕切部
５    中間仕切部
６    前仕切部
７    接続仕切部
９    メス
２１    （底板部の）上面
２２    （底板部の）下面
２３    第１仕切部間領域
２６    凹凸構造
２８    平滑面部
３１    前部領域
４１    後仕切側面
９１    把持部
９２    刃先部
２８１    （平滑面部の）下端面
α，β    傾斜角
【図１】
2020044313.tif 000003
【図２】
2020044313.tif 000004
【図３】
2020044313.tif 000005
【図４】
2020044313.tif 000006
【図５】
2020044313.tif 000007
【図６】
2020044313.tif 000008
【図７】
2020044313.tif 000009
【図８】
2020044313.tif 000010
【図９】
2020044313.tif 000011
【図１０】
2020044313.tif 000012
【図１１】
2020044313.tif 000013